(57)【要約】【課題】ホールドスイッチを設けることなく、ワイヤードリモコンを本体に装着したときに本体操作キーの入力を無効とする電子機器のキー入力装置を提供する。【解決手段】機器本体に接続されるワイヤードリモコンを有する電子機器において、ワイヤードリモコンが機器本体に接続されていることを検出する検出手段を機器本体に設け、前記検出手段がワイヤードリモコンが機器本体に接続されていることを検出した場合に、機器本体に設けられ機器本体を操作する本体操作キーの入力を無効とするように構成した。【選択図】        図２
2006080813.tif 000002
【特許請求の範囲】
【請求項１】
機器本体にリモコンが接続される電子機器において、リモコンが機器本体に接続されていることを検出する検出手段を機器本体に設け、前記検出手段がリモコンが機器本体に接続されていることを検出した場合に、機器本体に設けられ機器本体を操作する本体操作キーの入力を無効とするように構成した電子機器。
【請求項２】
前記リモコンが機器本体に出力する信号が電圧信号であり、リモコンが接続されているときの前記電圧信号がリモコンが接続されていないときの電圧信号より低くなるように構成した請求項１の電子機器。
【請求項３】
前記リモコンが機器本体に出力する信号が通信データであり、前記検出手段はリモコンと機器本体との通信が確立したか否かを判断するように構成した請求項１の電子機器。
【請求項４】
前記機器本体にリモコンを備えないヘッドホンが接続可能であり、前記ヘッドホンが接続され、リモコンが機器本体に接続されていないときに前記本体操作キーの入力を有効とするように構成した請求項１から３のいずれかに記載した電子機器。
【請求項５】
前記機器本体がポータブルオーディオ機器である請求項１から４のいずれかに記載した電子機器。
【発明の詳細な説明】
【技術分野】
【０００１】
この発明は電子機器に係わり、リモコンが接続されて使用される電子機器、特に、ポータブルオーディオ機器に好適である。
【背景技術】
【０００２】
従来、ポータブルオーディオ機器において、持ち運び時などに意図しない機器本体の本体操作キーの入力が行われて誤動作することを防止するために、ホールドスイッチを設けるものが多かった。そのような従来のポータブルオーディオ機器の例を図６〜図９により説明する。
【０００３】
図６にそのような従来のポータブルオーディオ機器の例を示す。図に示すポータブルオーディオ機器本体１にワイヤードリモコン２が接続され、ワイヤードリモコン２にヘッドホン３が接続される。そして、ポータブルオーディオ機器本体１は鞄等に入れられ、機器の操作はワイヤードリモコン２により操作される。
【０００４】
ポータブルオーディオ機器本体１には本体操作キー４があるが、この場合機器の操作はワイヤードリモコン２により行われ本体操作キー４は使用されない。そして、本体操作キー４に物が当たり誤動作することを防止するためにポータブルオーディオ機器本体１に本体操作キー４の入力を無効とするホールドスイッチ５が設けられている。ホールドスイッチ５をオフとすることにより本体操作キー４の入力は無効とされる。
【０００５】
図７はポータブルオーディオ機器本体１にワイヤードリモコンを接続せず、ヘッドホン３を直接接続した例を示している。この場合に本体操作キー４により機器を操作するためにはホールドスイッチ５をオンとする。通常ホールドを解除する操作は「オフ」と称されることが多いが、後述するように回路上ではスイッチをオンする操作に相当するので、本明細書ではホールド解除を「オン」と称する。
【０００６】
図８にこのような本体操作キーの入力回路の例を示す。図に示すように電源（電源電圧Ｖｃｃ）に抵抗器Ｒ１〜Ｒ６の直列回路が接続され、これらの抵抗器の各接続点および抵抗Ｒ６の一端はキースイッチＳＷ１〜ＳＷ６およびホールドスイッチ５を介して夫々グランドに接続されている。
【０００７】
抵抗器Ｒ１とＲ２の接続点は本体操作キー入力端子７に接続されている。この本体操作キー入力端子７に入力される入力信号はアナログ信号であるがＡ／Ｄコンバータによりデジタル信号に変換されてマイクロコンピュータによりいずれのキースイッチが押されたかを判断する。
【０００８】
すなわち、ホールドスイッチがオフであるとき、または、いずれのキースィッチも押されされないときは本体操作キー入力端子７の入力は電源電圧（Ｖｃｃ）であるが、ホールドスイッチがオンであり、いずれかのキースイッチが押されるとＶｃｃ以下の押された各キースイッチに対応する電圧となる。
【０００９】
すなわち、ホールドスイッチがオフのときはいずれかのキースイッチが押されても本体操作キー入力端子７の入力はＶｃｃとなりキースイッチの押圧動作は無効となる。
【００１０】
図９に本体操作キーの入力回路の他の例を示す。この例では電源は夫々抵抗器Ｒ１〜Ｒ６およびキースイッチＳＷ１〜ＳＷ６の夫々の直列回路および抵抗器Ｒ７およびホールドスイッチ５の直列回路を介してグランドに接続され、各直列回路の接続点はマイクロコンピュータ８の入力端子に接続されている。
【００１１】
マイクロコンピュータ８は入力された信号がＶｃｃ以下である夫々の入力端子の電圧によりキースイッチＳＷ１〜ＳＷ６またはホールドスイッチ５のいずれかがオンであるかを判断できる。この例ではプログラムにりホールドスイッチ５がオンのとき各キースイッチＳＷ１〜ＳＷ６を無効とする。
【００１２】
上記した従来のポータブルオーディオ機器では使用者がホールドスイッチをオン・オフしなくてはならず操作が面倒であった。また、使用者がホールドスイッチをオフとしたことに気付かずに本体操作キーの操作が行えないと、故障と勘違いしまうことがあった。
【００１３】
さらに、ホールドスイッチを必要とし、その部品コスト、取り付け作業や配線のためのコストがかかり製造コストが増大するという問題があった。
【００１４】
特開平７−３２６８７２号公報に提案されたラジオのコード収納装置は、リモコンを本体に装着してリモコンを使用しないときにホールドスイッチを動作させてリモコンおよび本体からの操作を無効とする構成となっている。
【００１５】
この例では特別にホールドスイッチの操作は必要としないが、ホールドスイッチを設けなければならず、やはり、部品コスト、取り付け作業や配線のためのコストがかかり製造コストが増大するという問題があった。また、リモコンを使用せず、本体に装着した状態で本体を操作することができないため不便であった。
【特許文献１】特開平７−３２６８７２号公報、段落００２４〜段落００２６、図３、図４
【発明の開示】
【発明が解決しようとする課題】
【００１６】
この発明は上記した点に鑑みてなされたものであって、その目的とするところは、ホールドスイッチを設けることなく、リモコンを本体に装着したときに本体操作キーの入力を無効とする電子機器を提供することにある。
【課題を解決するための手段】
【００１７】
この発明の電子機器は、機器本体にリモコンが接続される電子機器において、リモコンが機器本体に接続されていることを検出する検出手段を機器本体に設け、前記検出手段がリモコンが機器本体に接続されていることを検出した場合に、機器本体に設けられ機器本体を操作する本体操作キーの入力を無効とするように構成したものである。
【００１８】
また、前記電子機器において、前記リモコンが機器本体に出力する信号が電圧信号であり、リモコンが接続されているときの前記電圧信号がリモコンが接続されていないときの電圧信号より低くなるように構成したものである。
【００１９】
また、同電子機器において、前記リモコンが機器本体に出力する信号が通信データであり、前記検出手段はリモコンと機器本体との通信が確立したか否かを判断するように構成したものである。
【００２０】
また、前記各電子機器において、前記機器本体にリモコンを備えないヘッドホンが接続可能であり、前記ヘッドホンが接続され、リモコンが機器本体に接続されていないときに前記本体操作キーの入力を有効とするように構成したものである。
【００２１】
さらに、前記各電子機器において、前記機器本体がポータブルオーディオ機器としたたものである。
【発明の効果】
【００２２】
この発明の電子機器によれば、ホールドスイッチを設けることなく、意図しない本体操作キーの入力を無効とすることができる。
【００２３】
ホールドスイッチを設けていないため、ホールドスイッチ操作の手間が省け、さらに、誤って本体操作キーをホールドした状態で本体操作キーで操作できないという勘違いがなくなる。
【００２４】
また、ホールドスイッチを設けていないため、部品コストおよび組み立て工数が削減される。
【発明を実施するための最良の形態】
【００２５】
以下この発明を実施するための最良の形態を実施例に即して説明する。
【実施例１】
【００２６】
図１はこの発明の実施例１であるポータブルオーディオ機器を示す回路図である。図に示すワイヤードリモコンのキーの入力回路は、本体側の電源（電源電圧Ｖｃｃ）と接続された抵抗器Ｒ１にリモコン側の抵抗器Ｒ２〜Ｒ７の直列回路が接続され、この直列回路の終端は本体側のグランドに接続される。
【００２７】
そして、抵抗器Ｒ１と抵抗器Ｒ２の接続点は本体側のリモコン信号入力端子６に接続される。また、抵抗器Ｒ１〜Ｒ７の直列回路の各接続点は夫々のリモコン側のキースイッチＳＷ１〜ＳＷ６を介して本体側のグランドに接続される。
【００２８】
リモコン信号入力端子６にはアナログ信号が入力されるが、本体側の図示していないマイクロコンピュータに内蔵されたＡ／Ｄコンバータによりデジタル信号に変換され、マイクロコンピュータはこのデジタル信号によりキースイッチＳＷ１〜ＳＷ６のいずれが押されたか、またはキースイッチが押されていないかを判断できる。
【００２９】
すなわち、押されるキースイッチＳＷ１〜ＳＷ６の順に上記デジタル信号の値は高くなり、キースイッチが押されないときはＳＷ６が押されたときの値よりさらに高くなる。そして、ワイヤードリモコンが接続されていないときは上記デジタル信号の値は電源電圧の値となる。
【００３０】
具体的には、キースイッチＳＷ１が押されると、Ｖ１＝グランドレベル（つまり０Ｖ）で得られる電圧がリモコン信号入力端子６に入力される。また、キースイッチＳＷ２が押されると、Ｖ２＝Ｖｃｃ×Ｒ２／（Ｒ１＋Ｒ２）の電圧がリモコン信号入力端子６に入力される。以下同様にキースイッチＳＷ３が押されるとＶ３＝Ｖｃｃ×（Ｒ２＋Ｒ３）／（Ｒ１＋Ｒ２＋Ｒ３）の電圧が、キースイッチＳＷ４が押されるとＶ４＝Ｖｃｃ×（Ｒ２＋Ｒ３＋Ｒ４）／（Ｒ１＋Ｒ２＋Ｒ３＋Ｒ４）の電圧が、キースイッチＳＷ５が押されるとＶ５＝Ｖｃｃ×（Ｒ２＋Ｒ３＋Ｒ４＋Ｒ５）／（Ｒ１＋Ｒ２＋Ｒ３＋Ｒ４＋Ｒ５）の電圧が、キースイッチＳＷ６が押されるとＶ６＝Ｖｃｃ×（Ｒ２＋Ｒ３＋Ｒ４＋Ｒ５＋Ｒ６）／（Ｒ１＋Ｒ２＋Ｒ３＋Ｒ４＋Ｒ５＋Ｒ６）の電圧が、夫々リモコン信号入力端子６に入力される。
【００３１】
また、キースイッチＳＷ１〜ＳＷ６のいずれも押されない場合にはＶ７＝Ｖｃｃ×（Ｒ２＋Ｒ３＋Ｒ４＋Ｒ５＋Ｒ６；Ｒ７）／（Ｒ１＋Ｒ２＋Ｒ３＋Ｒ４＋Ｒ５＋Ｒ６＋Ｒ７）の電圧が、夫々リモコン信号入力端子６に入力されている。なお、リモコンが接続されていない場合はＶ８＝Ｖｃｃの電圧がリモコン信号入力端子６に入力される。
【００３２】
従って、各キースイッチＳＷ１〜ＳＷ６の押下及び非押下によって得られるＶ１〜Ｖ６およびＶ７、また、リモコンが接続されていないときの電圧Ｖ８に対応する上記デジタル信号の値の中間値を閾値とすることでマイクロコンピュータはいずれのキースイッチが押されたかを判断でき、さらに、上記デジタル信号の値が電源電圧に対応する値であるか否かにより、ワイヤードリモコンが接続されているか否かを判断できる。
【００３３】
本体側には従来例と同様の本体操作キーが設けられ、その信号は本体側のマイクロコンピュータに入力されるがこの実施例では本体操作キーを図示していない。
【００３４】
次に、図２を参照して本体操作キーの入力動作について説明する。図２に示すルーチンはマイクロコンピュータによって定期的に実行される。このルーチンが実行されると先ずステップＳ１において、本体操作キーのいずれかが押されたか否かを判断し、押されていない場合はこのルーチンを終了し、押された場合はステップＳ２に移行する。
【００３５】
ステップＳ２では上記したリモコン信号入力端子の電圧が電源電圧であるか電源電圧より低いかによりリモコンが接続されているか否かを判断し、リモコンが接続されている場合はこのルーチンを終了し、つまり、押下されたキースイッチに対応する動作を実行せず、接続されていない場合はステップＳ３に移行する。
【００３６】
ステップＳ３では押された本体操作キーに対応する機能を実行しこのルーチンを終了する。このようにワイヤードリモコンが接続されている場合は本体操作キーの操作は無効とされる。
【００３７】
次に、図３を参照してワイヤードリモコンの操作キーの入力動作について説明する。図３に示すルーチンはマイクロコンピュータによって定期的に実行される。このルーチンが実行されると先ずステップＳ４において、前述のリモコン信号入力端子に入力される信号とそれを判断する閾値によりワイヤードリモコンの操作キーのいずれかが押されたか否かを判断し、押されていない場合はこのルーチンを終了し、押された場合はステップＳ５に移行する。
【００３８】
ステップＳ５では前述のリモコン信号入力端子に入力される信号とそれを判断する閾値によりワイヤードリモコンの操作キーのいずれが押されたかを判断し、押されたワイヤードリモコンの操作キーに対応する機能を実行しこのルーチンを終了する。このようにワイヤードリモコンが接続された場合はワイヤードリモコンにより本体を操作することができる。
【００３９】
図４はこの発明の実施例２であるポータブルオーディオ機器を示す構成図である。この例ではポータブルオーディオ機器本体１にＵＡＲＴシリアル通信により機器本体に信号を送信するワイヤードリモコン２が接続される。ポータブルオーディオ機器本体１にはワイヤードリモコン２が接続されていないときに機器本体を操作する本体操作キー４が設けられている。
【００４０】
ポータブルオーディオ機器本体１に内蔵されたマイクロコンピュータは図５に示すルーチンを定期的に実行する。このルーチンが実行されると先ずステップＳ６において、リモコンとの通信が確立しているか否かを判断する。そして、リモコンとの通信が確立している場合は、ステップＳ７に移行し、確立していないときはステップＳ８に移行する。
【００４１】
ステップＳ７ではマイクロコンピュータに内蔵されたリモコン接続フラグをセットしてこのルーチンを終了する。ステップＳ８ではマイクロコンピュータに内蔵されたリモコン接続フラグをリセットしてこのルーチンを終了する。
【００４２】
マイクロコンピュータはリモコン接続フラグを読むことによりワイヤードリモコン２が接続されているか否かを判断できる。そして、図２で説明したものと同様のルーチンで本体操作キーの入力動作を行い、ワイヤードリモコンが接続されている場合は本体操作キーの操作を無効とする。但し、ワイヤードリモコン２が接続されているか否かの判断は、リモコン接続フラグを読むことにより行われる。
【００４３】
なお、ヘッドホンは機器本体に直接接続するようにしてもワイヤードリモコン２に接続するようにしてもよいが、ヘッドホンが接続されていてもワイヤードリモコンが接続されていなければポータブルオーディオ機器本体１の本体操作キー４の操作は有効となり、ワイヤードリモコンが接続されていればポータブルオーディオ機器本体１の本体操作キー４の操作は無効となる。
【００４４】
実施例は以上のように構成されているが発明はこれに限られず、例えば、この発明をポータブルオーディオ機器以外のポータブル電子機器に適用することも可能である。
【００４５】
なお、上述の実施例ではいずれもリモコンが信号線を介して機器本体に接続される場合について説明したが、これに限定されない。例えば、リモコンを備えたリモコン付きヘッドホンが無線を介して機器本体に接続されるようにしてもよい。
【００４６】
この場合、上述の実施例に、さらに無線信号送受信部を備え、当該無線信号送受信部で受信された信号の一部がリモコン信号入力端子６に供給される。また、図示しない再生部によって再生された音声信号（若しくは映像信号も含む）は、無線信号送受信部を介して送信される。
【００４７】
この場合には、図５により説明したのと同様に、機器本体がリモコン付きヘッドホンとの通信を確立できたか否かによって、機器本体に設けられた本体操作キーの有効／無効を判断する。つまり、機器本体がリモコン付きヘッドホンと通信を確立できた場合には、本体操作キーによる操作を無効とし（ホールド状態とし）機器本体がリモコン付きヘッドホンと通信を確立できなかった場合には、本体操作キーによる操作を有効とする。すなわち、ホールド解除状態とする。
【００４８】
また、無線接続によってヘッドホンが本体機器に接続される場合には、ヘッドホンから本体機器に送信される信号に、当該接続がリモコン機能を有することを示すリモコン有無識別データが付加される。そして、本体機器にリモコン機能を備えないヘッドホンが接続される場合には、当該接続がリモコン機能を有しないことを示すリモコン有無識別データが付加される。
【００４９】
本体機器は、受信した信号に含まれるリモコン有無識別データに基づいて、本体機器に設けられた本体操作キーの有効／無効を判断する。つまり、リモコン付きヘッドホンとの通信が確立された場合には、本体機器のマイクロコンピュータは本体機器の本体操作キーの操作を無効とし、リモコン機能を備えないヘッドホンとの通信が確立された場合には、本体機器のマイクロコンピュータは本体操作キーの操作を有効とする。
【００５０】
このように構成しても、ホールドスイッチを設けることなく、意図しない本体操作キーの入力を無効とすることができる。また、リモコン機能を備えないヘッドホンが接続された場合には、本体操作キーの操作を有効としているのでユーザの利便性を損なうことがない。
【図面の簡単な説明】
【００５１】
【図１】この発明の実施例１であるポータブルオーディオ機器を示す回路図である。
【図２】同ポータブルオーディオ機器の作用を示すフローチャートである。
【図３】同ポータブルオーディオ機器の作用を示すフローチャートである。
【図４】この発明の実施例２であるポータブルオーディオ機器を示す構成図である。
【図５】同ポータブルオーディオ機器の作用を示すフローチャートである。
【図６】従来のポータブルオーディオ機器の例を示す構成図である。
【図７】同ポータブルオーディオ機器の他の使用態様を示す構成図である。
【図８】従来のポータブルオーディオ機器を示す回路図である。
【図９】従来のポータブルオーディオ機器の他の例を示す回路図である。
【符号の説明】
【００５２】
１  ポータブルオーディオ機器本体
２  ワイヤードリモコン
３  ヘッドホン
４  本体操作キー
５  ホールドスイッチ
６  リモコン信号入力端子
７  本体操作キー信号入力端子
８  マイクロコンピュータ
Ｒ１、Ｒ２、Ｒ３、Ｒ４、Ｒ５、Ｒ６、Ｒ７  抵抗器
ＳＷ１、ＳＷ２、ＳＷ３、ＳＷ４、ＳＷ５、ＳＷ６  キースイッチ
【図１】
2006080813.tif 000003
【図２】
2006080813.tif 000004
【図３】
2006080813.tif 000005
【図４】
2006080813.tif 000006
【図５】
2006080813.tif 000007
【図６】
2006080813.tif 000008
【図７】
2006080813.tif 000009
【図８】
2006080813.tif 000010
【図９】
2006080813.tif 000011